(57)【要約】【課題】  ブライン循環ポンプの回転数は施工時に設定され、それ以降は常に同じ回転数で床暖房を行う。このため、運転開始初期における暖房の立ち上がりが遅い。【解決手段】  温水式暖房装置３の制御を行う制御装置４は、暖房運転の運転開始初期など、戻り温度センサ４９で検出されるブラインの戻り温度が設定値（例えば、Ｔ１＋１℃＜Ｔ２）より低い場合に、ブラインの戻り温度が設定値に上昇するまでブライン循環ポンプ３３の回転数を初期回転数より上げる急速暖房制御を実施する。これにより、床暖房パネル３２を通過するブラインの流量が増えて、床暖房パネル３２の放熱能力が高まる。この結果、暖房運転の運転開始初期などに床暖房パネル３２の暖房能力を上げることができ、床暖房パネル３２による暖房の快適性を向上できる。【選択図】  図１
2008014585.tif 000002
【特許請求の範囲】
【請求項１】
（ａ）暖房用のブラインを加熱するブライン加熱手段（３１）と、
（ｂ）このブライン加熱手段（３１）で加熱されたブラインの熱を放熱させる放熱パネル（３２）と、
（ｃ）前記ブライン加熱手段（３１）で加熱されたブラインを前記放熱パネル（３２）を通して再び前記ブライン加熱手段（３１）に戻すブライン循環回路（Ｋ３）と、
（ｄ）このブライン循環回路（Ｋ３）においてブラインを循環駆動するブライン循環ポンプ（３３）と、
（ｅ）前記放熱パネル（３２）を通過して前記ブライン加熱手段（３１）に戻されるブラインの温度が低い場合に、前記ブライン循環ポンプ（３３）の回転数を初期回転数より上げる急速暖房制御を実施可能な制御装置（４）と、
を備えたブライン放熱式暖房装置。
【請求項２】
請求項１に記載のブライン放熱式暖房装置において、
前記ブラインの温度が低い場合とは、暖房運転の運転開始初期であることを特徴とするブライン放熱式暖房装置。
【請求項３】
請求項１または請求項２に記載のブライン放熱式暖房装置において、
前記ブラインの温度が低い場合とは、前記放熱パネル（３２）を通過して前記ブライン加熱手段（３１）に戻されるブラインの検出温度が、設定温度に対して所定温度より低い場合であることを特徴とするブライン放熱式暖房装置。
【請求項４】
請求項１〜請求項３のいずれかに記載のブライン放熱式暖房装置において、
前記放熱パネル（３２）は、複数用いられ、前記ブライン循環回路（Ｋ３）において並列接続され、
前記制御装置（４）は、前記放熱パネル（３２）の運転数が増すほど前記ブライン循環ポンプ（３３）の回転数を上げる運転台数制御を実施することを特徴とするブライン放熱式暖房装置。
【請求項５】
請求項１〜請求項４のいずれかに記載のブライン放熱式暖房装置において、
前記ブライン加熱手段（３１）は、貯湯タンク（５）に戻される給湯水と、ブラインとを熱交換する水／ブライン熱交換器（３１）であり、
前記貯湯タンク（５）の給湯水は、ヒートポンプサイクル（Ｒ）によって加熱されることを特徴とするブライン放熱式暖房装置。
【請求項６】
請求項１〜請求項５のいずれかに記載のブライン放熱式暖房装置において、
前記放熱パネル（３２）は、床面に設置される床暖房パネル（３２）であることを特徴とするブライン放熱式暖房装置。
【発明の詳細な説明】
【技術分野】
【０００１】
本発明は、放熱パネルに加熱したブライン（熱運搬用流体：例えば不凍液）を流して暖房を行うブライン放熱式暖房装置に関する。
【背景技術】
【０００２】
従来より、床に設置した床暖房パネル（放熱パネルの一例）に加熱したブラインを流して床暖房を行ういわゆる温水式床暖房装置（ブライン放熱式暖房装置の一例）が知られている（例えば、特許文献１、２参照）。
この温水式床暖房装置は、ブラインを加熱するブライン加熱手段、加熱されたブラインの熱を放熱させる放熱パネル、ブライン加熱手段→放熱パネル→再びブライン加熱手段の閉ループを成すブライン循環回路、このブライン循環回路においてブラインを循環駆動するブライン循環ポンプから構成される。
【０００３】
ここで、温水式床暖房装置の暖房の熱源の一例を説明する。
温水式床暖房装置の暖房の熱源として、ヒートポンプサイクルおよび貯湯タンクを用いたものが提案されている。これは、ヒートポンプサイクルにより、貯湯タンク内の水を加熱するものであり、温水式床暖房装置は、貯湯タンクに蓄えられた給湯水の熱、あるいはヒートポンプサイクルで加熱された給湯水の熱によって、ブラインを加熱するものである。
【０００４】
ブラインと熱交換した給湯水は、貯湯タンクに戻される。このため、ブライン循環ポンプの回転数を高く設定すると、床暖房パネルで放熱しきれず、ブライン加熱手段（水／ブライン熱交換器）で給湯水と熱交換されるブラインの温度が高まり、結果的にブラインと熱交換して貯湯タンクに戻される給湯水の戻り温度が高くなり、貯湯タンク内には中温の給湯水（中温水）の割合が高まる。
このように、貯湯タンク内の中温水割合が高まると、ヒートポンプサイクルによって貯湯タンク内の水を沸き上げる際のＣＯＰ（成績係数）が低下するため、ブライン循環ポンプの回転数を下げる必要がある。
逆に、ブライン循環ポンプの回転数が低すぎると、床暖房パネルの温度ムラが大きくなり、快適性が損なわれてしまう。
【０００５】
そこで、ブライン循環ポンプの回転数は、施工時に上記等の事情に鑑みて設定されるものであり、施工時に設定された以降は常に同じ回転数（床暖房パネルに単位時間当たり最低流量以上のブラインを流す回転数）で暖房を行う。
即ち、従来の技術では、床暖房パネルにブラインを循環させるブライン循環ポンプの回転数は、常に一定であった。そのため、次の問題があった。
【０００６】
（問題点１）
暖房運転の開始指示は、通常、部屋が冷えている状態でなされるため、運転開始時にはブライン循環回路中のブラインも冷えている。しかし、暖房開始直後は温度上昇中のブラインが定速で循環するため、床暖房パネルの放熱量が少なく、暖房の立ち上がりが遅くなる。
【０００７】
（問題点２）
１台の温水式床暖房装置に、複数の床暖房パネルを設置する場合がある。
ブライン循環ポンプの回転数は一定であるため、複数の床暖房パネルで暖房運転を行っていた状態から、１系統の床暖房パネルの運転を停止すると（１つの床暖房パネルへのブラインの流れを電動開閉弁等で停止すると）、他の運転中の床暖房パネルに流れるブラインの流量が急に増える。運転中の床暖房パネルでは、運転を停止した床暖房パネルが放熱するべき熱量を含んだブラインの流量が急に増えることになるため、運転中の床暖房パネルは暖房過多となってしまう。
逆に、床暖房パネルの運転数を増やすと、ブラインの熱量が不足するため、暖房不足となってしまう。
即ち、従来の温水式床暖房装置では、暖房運転中に床暖房パネルの運転台数が変化すると、運転中の暖房能力が変化する不具合があった。
【０００８】
（問題点３）
温水式床暖房装置の暖房の熱源として、ヒートポンプサイクルおよび貯湯タンクを用いた場合、複数の床暖房パネルで暖房運転を行っていた状態から、１系統の床暖房パネルの運転を停止すると、運転中の床暖房パネルでブラインを放熱しきれず、ブライン加熱手段（水／ブライン熱交換器）に戻るブラインの温度が高まり、ブラインと熱交換して貯湯タンクに戻される給湯水の戻り温度が高くなり、貯湯タンク内の中温水割合が高まる。この結果、ヒートポンプサイクルによって貯湯タンク内の水を沸き上げる際のＣＯＰが低下してしまう。
【特許文献１】特開平７−１９６０５号公報
【特許文献２】特開２００４−１３２５７９号公報
【発明の開示】
【発明が解決しようとする課題】
【０００９】
本発明の第１の目的は、上記問題点１に鑑みてなされたものであり、放熱パネルに大きい暖房能力が要求される場合に、放熱パネルの暖房能力を上げることができるブライン放熱式暖房装置の提供にある。
本発明の第２の目的は、上記問題点２に鑑みてなされたものであり、放熱パネルの運転数が変化しても、各放熱パネルの暖房能力が変化する不具合を回避できるブライン放熱式暖房装置の提供にある。
本発明の第３の目的は、上記問題点３に鑑みてなされたものであり、暖房の熱源として、ヒートポンプサイクルおよび貯湯タンクを用いた場合、放熱パネルの運転数が変化しても、貯湯タンク内の中温水の割合が高まるのを防ぎ、ヒートポンプサイクルによって貯湯タンク内の水を沸き上げる際のＣＯＰが低下するのを防ぐことのできるブライン放熱式暖房装置の提供にある。
【課題を解決するための手段】
【００１０】
［請求項１の手段］
請求項１の手段を採用するブライン放熱式暖房装置の制御装置（４）は、放熱パネル（３２）を通過してブライン加熱手段（３１）に戻されるブラインの温度が低い場合に、ブライン循環ポンプ（３３）の回転数を初期回転数（定常回転数）より上げる急速暖房制御を実施する。
これにより、放熱パネル（３２）を通過するブラインの流量が増え、放熱パネル（３２）の放熱能力が高まる。即ち、放熱パネル（３２）の暖房能力を上げることができ、放熱パネル（３２）による暖房の快適性を向上させることができる。
【００１１】
［請求項２の手段］
請求項２の手段を採用するブライン放熱式暖房装置において、ブラインの温度が低い場合とは、暖房運転の運転開始初期である。即ち、制御装置（４）は、暖房運転の運転開始初期（例えば、運転開始後の所定時間、あるいはブラインの温度が所定温度に満たない場合等）に急速暖房制御を実施する。
これにより、暖房運転の運転開始初期において放熱パネル（３２）を通過するブラインの流量が増え、放熱パネル（３２）の放熱能力が高まる。即ち、暖房運転の運転開始初期における放熱パネル（３２）の暖房能力を上げることができ、放熱パネル（３２）による暖房の快適性を向上させることができる。
【００１２】
［請求項３の手段］
請求項３の手段を採用するブライン放熱式暖房装置において、ブラインの温度が低い場合とは、放熱パネル（３２）を通過してブライン加熱手段（３１）に戻されるブラインの検出温度が、設定温度に対して所定温度より低い場合である。即ち、制御装置（４）は、放熱パネル（３２）からブライン加熱手段（３１）へ戻されるブラインの検出温度が、設定温度に対して所定温度より低い場合に急速暖房制御を実施する。
これにより、放熱パネル（３２）を通過したブラインの温度が低いことによる暖房不足を、ブラインの流量が増えることで補うことができ、放熱パネル（３２）による暖房の快適性を向上させることができる。
【００１３】
［請求項４の手段］
請求項４の手段を採用するブライン放熱式暖房装置は、放熱パネル（３２）が複数用いられ、ブライン循環回路（Ｋ３）において並列接続される。そして、制御装置（４）は、放熱パネル（３２）の運転数が増すほどブライン循環ポンプ（３３）の回転数を上げる運転台数制御を実施する。
これにより、運転中の放熱パネル（３２）の数が減った際に、ブライン循環ポンプ（３３）の回転数を下げることで、運転中の放熱パネル（３２）が暖房過多になる不具合を回避できる。
逆に、運転中の放熱パネル（３２）の数が増えた際に、ブライン循環ポンプ（３３）の回転数を上げることで、運転中の放熱パネル（３２）の暖房能力の低下を補うことができる。
即ち、放熱パネル（３２）の運転数が変化しても、各放熱パネル（３２）の暖房能力が変化する不具合を回避できる。
【００１４】
［請求項５の手段］
請求項５の手段を採用するブライン放熱式暖房装置のブライン加熱手段（３１）は、貯湯タンク（５）に戻される給湯水と、ブラインとを熱交換する水／ブライン熱交換器（３１）であり、貯湯タンク（５）の給湯水は、ヒートポンプサイクル（Ｒ）によって加熱される。
このように、暖房の熱源として、ヒートポンプサイクル（Ｒ）および貯湯タンク（５）を用いても、上記請求項１〜４のいずれかの効果を得ることができる。
特に、請求項４と組み合わせることにより、放熱パネル（３２）の運転数が減った際に、貯湯タンク（５）内の中温水の割合が高まるのを防ぐことができ、ヒートポンプサイクル（Ｒ）によって貯湯タンク（５）内の水を沸き上げる際のＣＯＰが低下する不具合を回避できる。
【００１５】
［請求項６の手段］
請求項６の手段を採用するブライン放熱式暖房装置の放熱パネル（３２）は、床面に設置される床暖房パネル（３２）である。
このように、放熱パネル（３２）として床暖房パネル（３２）を用いても、上記請求項１〜５のいずれかの効果を得ることができる。
【発明を実施するための最良の形態】
【００１６】
最良の形態１は、貯湯式給湯暖房装置であり、加熱された給湯水を蓄える貯湯タンク（５）と、この貯湯タンク（５）内の水を加熱するヒートポンプサイクル（Ｒ）と、貯湯タンク（５）内の給湯水を熱源とした温水式暖房装置（３：ブライン放熱式暖房装置の一例）とを備える。
温水式暖房装置（３）は、給湯水を利用して暖房用のブラインを加熱する水／ブライン熱交換器（３１：ブライン加熱手段の一例）と、水／ブライン熱交換器（３１）で加熱されたブラインの熱を放熱させる床暖房パネル（３２：放熱パネルの一例）と、水／ブライン熱交換器（３１）で加熱されたブラインを床暖房パネル（３２）を通して再び水／ブライン熱交換器（３１）に戻すブライン循環回路（Ｋ３）と、このブライン循環回路（Ｋ３）においてブラインを循環駆動するブライン循環ポンプ（３３）とを備える。
【００１７】
この温水式暖房装置（３）は、床暖房パネル（３２）を通過して水／ブライン熱交換器（３１）に戻されるブラインの温度が低い場合（運転開始初期などブラインの温度が暖房に要求される温度に満たない場合）に、ブライン循環ポンプ（３３）の回転数を初期回転数より上げる急速暖房制御を実施可能な制御装置（４）を備える。
これにより、暖房運転の運転開始初期など、水／ブライン熱交換器（３１）に戻されるブラインの温度が低い場合に、床暖房パネル（３２）を通過するブラインの流量が増え、床暖房パネル（３２）の放熱能力が高まり、結果的に床暖房パネル（３２）の暖房能力を上げることができ、暖房の快適性を向上させることができる。
【００１８】
なお、上記各手段の括弧内の符号は、後述する実施例の具体的な手段との対向関係を示すものである。
【実施例１】
【００１９】
本発明を貯湯式給湯暖房装置に適用した実施例１を、図１〜図３を参照して説明する。  貯湯式給湯暖房装置は、タンク装置１、ヒートポンプ熱源装置２および温水式暖房装置３（ブライン放熱式暖房装置の一例）を備え、制御装置４によって運転が制御される。
なお、以下では、貯湯タンク５内に蓄えられる水を「給湯水」と称し、給湯水のうち貯湯タンク５の上部に蓄えられる高温の水（例えば、７５〜９０℃の水）を「熱水」と称し、給湯水のうち貯湯タンク５の上下方向の中間部に蓄えられ、熱水より温度の低い水（例えば、４０〜７５℃の水）を「中温水」と称し、給湯水のうち貯湯タンク５の下部に蓄えられ、中温水より温度の低い水（例えば、４０℃未満の水）、あるいは上水道から直接供給される水を「冷水」と称して説明する。
【００２０】
（タンク装置１の説明）
タンク装置１は、給湯水を蓄える貯湯タンク５を搭載する。この貯湯タンク５は、熱水を長時間保温した状態で蓄えることのできる所定容量の断熱容器であり、耐腐食性に優れた材料（例えば、ステンレス等）よりなる。
貯湯タンク５の下部には、上水道に接続される給水配管６が接続されている。この給水配管６には、図示しない逆止弁および電動開閉弁（例えば、常開弁）が設けられており、上水道に接続された状態で、且つ電動開閉弁が開かれた状態において、上水道から供給される水道水が水道圧によって貯湯タンク５の下部に供給される。
【００２１】
貯湯タンク５の上部には、貯湯タンク５の上部に蓄えられている熱水を外部に給湯するための給湯配管７が接続されている。
貯湯タンク５の中間部には、貯湯タンク５の中間部に蓄えられている中温水を外部に給湯するための中温水配管８が接続されている。この中温水配管８の下流端は、給湯配管７の途中に設けられた第１電動三方弁１１（熱水／中温水切替三方弁）に接続されており、第１電動三方弁１１を切り替えることにより、熱水または中温水が出水可能に設けられている。
【００２２】
第１電動三方弁１１の下流側の給湯配管７には、第２電動三方弁１２（給湯／冷水切替三方弁）が設けられている。この第２電動三方弁１２の一方には、給水配管６から分岐したバイパス給水配管１３が接続されており、第２電動三方弁１２を切り替えることにより、貯湯タンク５内の給湯水（熱水または中温水）あるいは冷水（水道水）が出水可能になっている。
【００２３】
（給湯水加熱回路Ｋ１およびブライン加熱回路Ｋ２の説明）
貯湯タンク５は、上記配管類とは別に、内部に貯溜する給湯水を加熱するための給湯水加熱回路Ｋ１と、内部に貯溜する給湯水によって暖房用のブラインを加熱するためのブライン加熱回路Ｋ２とが接続される。先ず、給湯水加熱回路Ｋ１およびブライン加熱回路Ｋ２の基本構成を説明する。
【００２４】
給湯水加熱回路Ｋ１は、貯湯タンク５の下部の給湯水をヒートポンプ熱源装置２により加熱し、貯湯タンク５の上部へ戻す還流回路である。この給湯水加熱回路Ｋ１には、水側熱交換器１４が設けられており、後述するヒートポンプサイクルＲの放熱器２２を通過する冷媒と熱交換することによって、水側熱交換器１４を通過する給湯水が加熱される。水側熱交換器１４の上流側には、加熱用電動ポンプ１５が設けられており、制御装置４から運転指示が与えられると、貯湯タンク５の下部→水側熱交換器１４→貯湯タンク５の上部に至る水流を発生させる。
【００２５】
ブライン加熱回路Ｋ２は、貯湯タンク５の上部の熱水を暖房用水側熱交換器１６を介して貯湯タンク５の下部に戻す還流回路である。このブライン加熱回路Ｋ２の途中には、暖房用電動ポンプ１７が設けられている。この暖房用電動ポンプ１７は、制御装置４から運転指示が与えられると、貯湯タンク５の上部→暖房用水側熱交換器１６→貯湯タンク５の下部に至る水流を発生させる。
【００２６】
ここで、この実施例の給湯水加熱回路Ｋ１およびブライン加熱回路Ｋ２は、上記基本構成に加え、（１）ヒートポンプ熱源装置２の作動時に水側熱交換器１４で加熱された給湯水を、貯湯タンク５の上部の他に、貯湯タンク５の中間部に戻すことが可能に設けられるとともに、（２）温水式暖房装置３の作動時に水側熱交換器１４で加熱された給湯水を直接的に暖房用水側熱交換器１６に供給可能に設けられ、（３）さらに貯湯タンク５の中間部に蓄えられた中温水を暖房用水側熱交換器１６に供給可能に設けられる。
【００２７】
具体的に、この実施例の給湯水加熱回路Ｋ１およびブライン加熱回路Ｋ２は、図１に示すように、第３、第４電動三方弁１８、１９を用いた水回路を採用し、
（１）水側熱交換器１４で加熱された『熱水』を貯湯タンク５の上部に供給する「高温貯湯運転」、
（２）水側熱交換器１４で加熱された『中温水』を貯湯タンク５の中間部に供給する「中温貯湯運転」、
（３）貯湯タンク５の上部の『熱水』を暖房用水側熱交換器１６に導く「高温蓄熱利用の床暖房運転」、
（４）貯湯タンク５の中間部の『中温水』を暖房用水側熱交換器１６に導く「中温蓄熱利用の床暖房運転」、
【００２８】
（５）水側熱交換器１４で加熱された『熱水』を直接的に暖房用水側熱交換器１６に導く「高温直接暖房運転（高温直暖：この時、水側熱交換器１４で加熱された熱水の約半分は貯湯タンク５の上部へ戻される）」、
（６）水側熱交換器１４で加熱された『中温水』を直接的に暖房用水側熱交換器１６に導く「中温直接暖房運転（中温直暖：この時、水側熱交換器１４で加熱された中温水の約半分は貯湯タンク５の中間部へ戻される）」、
（７）貯湯タンク５の中間部の『中温水』を暖房用水側熱交換器１６に導く「中温蓄熱利用の床暖房運転」を行いつつ、水側熱交換器１４で加熱された『熱水』を貯湯タンク５の上部に供給する「高温貯湯運転」を行う「高温貯湯運転＆中温蓄熱利用の床暖房運転」など、運転状況に応じて種々の運転が可能となっている。
なお、給湯水加熱回路Ｋ１およびブライン加熱回路Ｋ２の水回路構成は、機能等に応じて種々変更可能なものである。
【００２９】
（ヒートポンプ熱源装置２の説明）
ヒートポンプ熱源装置２は、上述した給湯水加熱回路Ｋ１を用いて貯湯タンク５内の給湯水を加熱する熱源ユニットであり、給湯水加熱回路Ｋ１によって水側熱交換器１４に導かれた給湯水を加熱するためのヒートポンプサイクルＲを搭載する。
ヒートポンプサイクルＲは、貯湯タンク５内の給湯水を高温（例えば、９０℃）の熱水に加熱する超臨界ヒートポンプサイクルを採用している。ここで、超臨界ヒートポンプサイクルとは、高圧側の冷媒圧力が冷媒の臨界圧力以上となるヒートポンプサイクルを言い、例えば、二酸化炭素、エチレン、エタン、酸化窒素などを冷媒とするヒートポンプサイクルである。
【００３０】
この実施例のヒートポンプサイクルＲは、冷媒圧縮機２１→放熱器２２→膨張装置２３→冷媒蒸発器２４→アキュムレータ２５→再び冷媒圧縮機２１の順で冷媒を循環させる閉回路を成す。
冷媒圧縮機２１は、冷媒（この実施例では二酸化炭素）の吸入、圧縮、吐出を行うものであり、この冷媒圧縮機２１は、図示しない電動モータによって駆動される。なお、冷媒圧縮機２１は、電動モータと一体型のものであっても良いし、電動モータと別体のものであっても良い。
【００３１】
放熱器２２は、水側熱交換器１４と組み合わされて冷媒／水熱交換器２６を構成するものであり、放熱器２２に供給された高温高圧の冷媒によって、水側熱交換器１４内を通過する給湯水を加熱する。具体的に冷媒／水熱交換器２６では、放熱器２２を流れる冷媒の流れ方向と、水側熱交換器１４内を流れる給湯水の流れ方向とが対向するように設けられている。
【００３２】
膨張装置２３は、放熱器２２を通過した冷媒を断熱膨張させる減圧器であり、電動アクチュエータによって減圧量を可変できる電気式膨張弁を採用している。
冷媒蒸発器２４は、膨張装置２３を通過して減圧された冷媒と大気とを熱交換させて、冷媒の熱エネルギーを上昇させる。なお、冷媒蒸発器２４には、冷媒と大気との熱交換を促進させる電動ファン２７が設けられている。
アキュムレータ２５は、ヒートポンプサイクルＲの余剰冷媒を蓄えるとともに、ガス冷媒のみを冷媒圧縮機２１に導く容器である。
【００３３】
（温水式暖房装置３の説明）
温水式暖房装置３は、上述したブライン加熱回路Ｋ２を用いて暖房用のブラインを加熱し、加熱されたブラインを用いて床暖房を行うものであり、暖房用のブラインを加熱する水／ブライン熱交換器３１（ブライン加熱手段の一例）と、水／ブライン熱交換器３１で加熱されたブラインの熱を放熱させる床暖房パネル３２（放熱パネルの一例）と、水／ブライン熱交換器３１で加熱されたブラインを床暖房パネル３２を通して再び水／ブライン熱交換器３１に戻すブライン循環回路Ｋ３と、このブライン循環回路Ｋ３においてブラインを循環駆動するブライン循環ポンプ３３とを備える。
【００３４】
水／ブライン熱交換器３１は、ブラインが通過する暖房用ブライン側熱交換器３４と、上述した暖房用水側熱交換器１６とを組み合わせたものであり、暖房用水側熱交換器１６に供給された給湯水によって、暖房用ブライン側熱交換器３４を通過するブラインを加熱する。具体的に水／ブライン熱交換器３１では、暖房用水側熱交換器１６内を流れる給湯水の流れ方向と、暖房用ブライン側熱交換器３４内を流れるブラインの流れ方向とが対向するように設けられている。
【００３５】
床暖房パネル３２は、床面に設置されるものであり、加熱されたブラインを流すことで床面を加熱して床暖房を行う。
ブライン循環回路Ｋ３は、水／ブライン熱交換器３１で加熱されたブラインを床暖房パネル３２に導くとともに、床暖房パネル３２を通過した放熱後のブラインを再び水／ブライン熱交換器３１に戻す循環回路である。
ブライン循環ポンプ３３は、通電量等により回転数が可変する電動ポンプであり、運転指示が与えられると、水／ブライン熱交換器３１→床暖房パネル３２→再び水／ブライン熱交換器３１の順でブラインを循環させる。
【００３６】
（制御装置４の説明）
制御装置４は、制御処理、演算処理を行うＣＰＵ、各種プログラムおよびデータを保存するメモリ（ＲＯＭ、スタンバイＲＡＭ、ＥＥＰＲＯＭ、ＲＡＭ等）、入力回路、出力回路、電源回路などを含んで構成される周知のコンピュータである。
制御装置４は、読み込まれたセンサ類の信号（運転指示信号、温度設定信号、貯湯式給湯暖房装置の運転状態など）に基づいて各種の演算処理を行い、貯湯式給湯暖房装置に搭載された各種電気機能部品（各ポンプ類、各電動バルブ類、冷媒圧縮機２１の電動モータ、電動ファン２７など）の通電制御を実施する。
【００３７】
制御装置４に接続されるセンサ類は、貯湯式給湯暖房装置の操作盤（メインスイッチ、床暖房の運転指示スイッチ、床暖房の温度設定器等を備える：図示しない）の他に、貯湯タンク５内の上下方向の温度分布を検出する複数の貯湯サーミスタ４１〜４６、水側熱交換器１４を通過した給湯水の温度を検出する加熱温度センサ４７、暖房用ブライン側熱交換器３４を通過したブラインの温度を検出する往き温度センサ４８、床暖房パネル３２を通過したブラインの温度を検出する戻り温度センサ４９、外気温度センサ（図示しない）などがある。
【００３８】
制御装置４には、（１）ブライン加熱回路Ｋ２とブライン循環回路Ｋ３を作動させて床暖房を実行する「暖房運転制御機能（制御プログラム）」と、（２）給湯水加熱回路Ｋ１とヒートポンプ熱源装置２を作動させて貯湯タンク５内に高温の熱水を貯湯する「貯湯運転制御機能（制御プログラム）」と、（３）外気温度が低い時に、給湯水が停滞する給湯水加熱回路Ｋ１およびブライン加熱回路Ｋ２の凍結を防止する「凍結防止制御機能（制御プログラム）」とが搭載されている。
【００３９】
（暖房運転制御機能の説明）
次に、暖房運転制御機能の制御例を、図２のフローチャートを参照して説明する。
この制御ルーチンに侵入すると（スタート）、先ず図示しない暖房運転スイッチがＯＮされたか否かの判断を行う（ステップＳ１）。この判断結果がＮＯの場合（ＯＦＦ）は、ステップＳ１へ戻り待機する。
ステップＳ１の判断結果がＹＥＳの場合（ＯＮ）は、貯湯サーミスタ４１〜４６で検出した貯湯タンク５の中間部近傍の給湯水の温度が、所定温度（例えば、４０℃）より低いか否かの判断を行う（ステップＳ２）。
【００４０】
ステップＳ２の判断結果がＮＯの場合（中間部近傍の温度が４０℃以上）は、暖房運転の運転開始初期（暖房立ち上げ）であるか否かの判断を行う（ステップＳ３）。具体的にステップＳ３では、往き温度センサ４８で検出されたブラインの温度が所定温度（例えば、３５℃）未満の場合、あるいは往き温度センサ４８で検出されたブラインの温度変化が過渡状態であれば、暖房運転の運転開始初期状態であると判断し、往き温度センサ４８で検出されたブラインの温度が所定温度以上の場合、あるいは温度変化が安定状態であれば、暖房運転の運転開始初期でないと判断する。
【００４１】
ステップＳ３の判断結果がＹＥＳ（運転開始初期）の場合は、貯湯タンク５の上部の熱水を暖房用水側熱交換器１６に導く「高温蓄熱利用の床暖房運転」を実施し（ステップＳ４）、その後ステップＳ２へ戻る。
一方、ステップＳ３の判断結果がＮＯ（運転開始初期でない）の場合は、貯湯タンク５の中間部の中温水を暖房用水側熱交換器１６に導く「中温蓄熱利用の床暖房運転」を実施し（ステップＳ５）、その後ステップＳ２へ戻る。
【００４２】
上記ステップＳ２の判断結果がＹＥＳの場合（中間部近傍の温度が４０℃未満）は、上記ステップＳ３と同様の手段によって、暖房運転の運転開始初期（暖房立ち上げ）であるか否かの判断を行う（ステップＳ６）。
ステップＳ６の判断結果がＹＥＳ（運転開始初期）の場合は、ヒートポンプ熱源装置２を作動させて水側熱交換器１４で加熱された熱水を直接的に暖房用水側熱交換器１６に導く「高温直接暖房運転（高温直暖）」を実施し（ステップＳ７）、その後ステップＳ２へ戻る。
ステップＳ６の判断結果がＮＯ（運転開始初期でない）の場合は、ヒートポンプ熱源装置２を作動させて水側熱交換器１４で加熱された中温水を直接的に暖房用水側熱交換器１６に導く「中温直接暖房運転（中温直暖）」を実施し（ステップＳ８）、その後ステップＳ２へ戻る。
【００４３】
（暖房用電動ポンプ１７の回転数制御の説明）
暖房用電動ポンプ１７の回転数は、内蔵する電動モータの通電量に応じて可変制御される。制御装置４は、暖房運転中、往き温度センサ４８の検出温度が所定温度（目標往き温度）となるように、暖房用電動ポンプ１７の回転数をフィードバック制御するものである。
【００４４】
（ブライン循環ポンプ３３の回転数制御の説明）
ブライン循環ポンプ３３の回転数は、内蔵する電動モータの通電量に応じて可変制御可能に設けられている。
ここで、暖房用電動ポンプ１７の回転数の設定について説明する。
上述した「高温蓄熱利用の床暖房運転」が行われている際、貯湯タンク５の上部から暖房用水側熱交換器１６に導かれた熱水は、ブラインと熱交換した後、再び貯湯タンク５に戻される。このため、ブライン循環ポンプ３３の回転数を高く設定すると、床暖房パネル３２で放熱しきれず、水／ブライン熱交換器３１で給湯水と熱交換されるブラインの温度が高まり、結果的にブラインと熱交換して貯湯タンク５に戻される給湯水の戻り温度が高くなり、貯湯タンク５内の中温水割合が高まり、結果的に貯湯タンク５内の水を沸き上げる際のＣＯＰが低下してしまう。このため、ブライン循環ポンプ３３の回転数を下げる必要がある。
逆に、ブライン循環ポンプ３３の回転数が低すぎると、床暖房パネル３２の温度ムラが大きくなり、快適性が損なわれてしまう。
【００４５】
ブライン循環ポンプ３３の「初期回転数（定常回転数）」は、施工時に上記等の事情に鑑みて設定されるものであり、貯湯タンク５内の水を沸き上げる際のＣＯＰの低下を極力抑え、且つ床暖房パネル３２の温度ムラを抑える値に設定される。
この初期回転数は、独立した床暖房パネル３２が複数設置される場合、全部の床暖房パネル３２にブラインを流した状態（全稼働状態）において設定される。
【００４６】
しかし、暖房運転の開始指示は、通常、部屋が冷えている状態でなされるため、運転開始時にはブライン循環回路Ｋ３中のブラインも冷えている。このため、暖房開始直後は温度上昇途中のブラインが初期回転数により一定速で循環しても床暖房パネル３２の放熱量が少なく、暖房の立ち上がりが遅くなる。
そこで、この実施例１の制御装置４には、暖房運転時、床暖房パネル３２を通過して水／ブライン熱交換器３１に戻されるブラインの温度が低い場合（即ち、ブラインの温度が暖房の要求温度に満たない場合）に、ブライン循環ポンプ３３の回転数を初期回転数より上げる「急速暖房制御」を実施する制御プログラムが搭載されている。
【００４７】
急速暖房制御について具体的に説明する。
制御装置４は、暖房運転中において、暖房運転の運転開始初期と判断した場合（ステップＳ３参照）に、ブライン循環ポンプ３３の回転数を初期回転数より上げる急速暖房制御を実施する。なお、回転数の上昇量は、一定でも良いし、可変でも良い。また、回転数を可変する場合は、暖房運転の開始ほど増速量が多く、定常運転（安定運転）に近づくにつれて増加量を減らす制御を実施しても良い。定常運転に近づく判断は、往き温度センサ４８の検出値、戻り温度センサ４９の検出値、あるいは運転開始からの経過時間などで判断可能である。
【００４８】
さらに、具体例を説明すると、制御装置４は、床暖房パネル３２を通過して水／ブライン熱交換器３１に戻されるブラインの検出温度（戻り温度センサ４９で検出された温度）が設定温度に対して所定温度より低い場合に急速暖房制御を実施するように設けられている。
この制御例を、図３を参照して具体的に説明する。
制御装置４は、暖房運転を行う床暖房パネル３２を通過したブラインの検出温度Ｔ１（戻り温度センサ４９で検出された温度）が、リモコン等の温度設定器で設定された設定温度Ｔ２に対して所定温度低い場合、例えば「Ｔ１＋１℃＜Ｔ２」の場合に、ブライン循環ポンプ３３の回転数を所定回転数（例えば、数百ｒｐｍ）増加させる急速暖房制御を実施し、「Ｔ１＋１℃≧Ｔ２」となった場合にブライン循環ポンプ３３の回転数を初期回転数に設定する制御を実施する。
【００４９】
この実施例１の温水式暖房装置３は、上述したように、暖房運転の運転開始初期など、戻り温度センサ４９で検出されるブラインの戻り温度が設定値より低い（例えば、Ｔ１＋１℃＜Ｔ２）場合、ブラインの戻り温度が設定値に上昇するまでブライン循環ポンプ３３の回転数を初期回転数より上げる急速暖房制御を実施する。
これにより、床暖房パネル３２を通過するブラインの単位時間当たりの流量が増えることになり、床暖房パネル３２の放熱能力が高まる。この結果、暖房運転の運転開始初期などに、床暖房パネル３２の暖房能力を上げることができ、床暖房パネル３２による暖房の快適性を向上させることができる。
【実施例２】
【００５０】
図４を参照して実施例２を説明する。この実施例２は、上記実施例１に示した貯湯式給湯暖房装置におけるブライン循環ポンプ３３の回転数制御機能に、さらに制御機能を加えたものである。なお、図４ではブライン循環ポンプ３３の設置位置が実施例１とは異なるが、実施例１と同じ位置であって良いことは言うまでもない。
【００５１】
この実施例２の温水式暖房装置３は、独立した床暖房パネル３２が複数（図４中、３台）用いられる。
また、ブライン循環回路Ｋ３は、複数の床暖房パネル３２毎にブラインを並列供給するように、複数の床暖房パネル３２毎の並列回路に設けられている。各床暖房パネル３２のブラインの上流には、各床暖房パネル３２を独立して運転あるいは停止させる電動開閉弁５１（熱動弁）が設けられている。
【００５２】
制御装置４は、各電動開閉弁５１を制御することで、操作盤などにより選択された床暖房パネル３２にブラインを流し、選択された床暖房パネル３２による暖房を実施する。
このように、１台の温水式暖房装置３に、複数の床暖房パネル３２を設置すると、次の問題点がある。
【００５３】
ブライン循環ポンプ３３の回転数は、定常運転時（ブラインの温度が加熱された安定状態の時）において初期回転数で一定である。このため、複数の床暖房パネル３２で暖房運転を行っていた状態から、１系統の床暖房パネル３２の運転を停止すると、他の運転中の床暖房パネル３２に流れるブラインの流量が急に増える。暖房運転中の床暖房パネル３２は、運転を停止した床暖房パネル３２が放熱するべき熱量を含んだブラインの流量が急に増える。これによって、運転中の床暖房パネル３２は暖房過多となってしまう。即ち、暖房運転中に床暖房パネル３２の運転台数が変化すると、運転中の暖房能力が変化してしまう。
逆に、床暖房パネル３２の運転数を増やすと、ブラインの熱量が不足するため、暖房不足が生じてしまう。
【００５４】
また、上述した「高温蓄熱利用の床暖房運転」が行われている状態において、１系統の床暖房パネル３２の運転を停止すると、運転中の床暖房パネル３２でブラインを放熱しきれず、水／ブライン熱交換器３１で給湯水と熱交換されるブラインの温度が高まり、結果的にブラインと熱交換して貯湯タンク５に戻される給湯水の戻り温度が高くなる。すると、貯湯タンク５内の中温水割合が増えることになり、ヒートポンプ熱源装置２によって貯湯タンク５内の水を沸き上げる際のＣＯＰが低下してしまう。
【００５５】
そこで、この実施例２の制御装置４には、床暖房パネル３２の運転数が増すほどブライン循環ポンプ３３の回転数を上げ、床暖房パネル３２の運転数が減るほどブライン循環ポンプ３３の回転数を下げる「運転台数制御」を実行する制御プログラムが搭載されている。
この運転台数制御の具体例を説明する。
電動開閉弁５１が３つとも開いている時（床暖房パネル３２の運転数が３台の場合）は、実施例１で示した初期回転数でブライン循環ポンプ３３を運転させる。
電動開閉弁５１が２つ開いている時（床暖房パネル３２の運転数が２台の場合）は、実施例１で示した初期回転数より第１所定回転数（例えば、２００ｒｐｍ）低い回転数でブライン循環ポンプ３３を運転させる。
電動開閉弁５１が１つ開いている時（床暖房パネル３２の運転数が１台の場合）は、実施例１で示した初期回転数より第２所定回転数（例えば、４００ｒｐｍ）低い回転数でブライン循環ポンプ３３を運転させる。
【００５６】
この実施例２の温水式暖房装置３は、上述したように、床暖房パネル３２の運転数が増すほどブライン循環ポンプ３３の回転数を上げ、逆に床暖房パネル３２の運転数が減るほどブライン循環ポンプ３３の回転数を下げる運転台数制御を実施する。
これにより、床暖房パネル３２の運転数が減った際に、ブライン循環ポンプ３３の回転数が下がり、運転継続中の床暖房パネル３２が暖房過多になる不具合を回避できる。逆に、運転中の床暖房パネル３２の数が増えた際に、ブライン循環ポンプ３３の回転数が上がり、運転中の床暖房パネル３２の暖房能力の低下を補うことができる。
また、床暖房パネル３２の運転数が減った際に、貯湯タンク５内の中温水の割合が高まるのを防ぐことができ、ヒートポンプサイクルＲによって貯湯タンク５内の水を沸き上げる際のＣＯＰが低下する不具合を回避できる。
【００５７】
〔変形例〕
上記の実施例では、超臨界ヒートポンプサイクルを用いる例を示したが、フロン冷媒（代替フロンを含む）を用いた一般的なヒートポンプサイクルを用いても良い。
上記の実施例では、貯湯タンク５の給湯水をヒートポンプ熱源装置２で加熱する例を示したが、貯湯タンク５の給湯水を深夜に電気ヒータで加熱するタイプであっても良い。
上記の実施例では、給湯水によりブラインを加熱する例を示したが、電気ヒータ、燃料燃焼装置など、他の加熱手段でブラインを加熱するように設けても良い。即ち、ブライン加熱手段として、他の加熱手段を用いても良い。
【００５８】
上記の実施例では、貯湯式給湯暖房装置の制御を１つの制御装置４で制御する例を示したが、温水式暖房装置３の制御装置を独立して用いても良い。
上記の実施例では、放熱パネルの一例として床暖房パネル３２を用いる例を示したが、床以外の他の部位に配置される放熱器（放熱パネル）を用いても良い。もちろん、床暖房パネル３２と、床以外の他の部位に配置される放熱器（放熱パネル）とを、組み合わせて用いても良い。
なお、上記の実施例において述べたヒートポンプ熱源装置２を構成する各部材の具体的な構造は、本発明を適用する上で、特に限定されるものではない。
【図面の簡単な説明】
【００５９】
【図１】貯湯式給湯暖房装置の概略構成図である（実施例１）。
【図２】暖房運転制御の一例を示すフローチャートである（実施例１）。
【図３】作動説明のためのタイムチャートである（実施例１）。
【図４】温水式暖房装置の概略構成図である（実施例２）。
【符号の説明】
【００６０】
１  タンク装置
２  ヒートポンプ熱源装置
３  温水式暖房装置（ブライン放熱式暖房装置）
４  制御装置
５  貯湯タンク
３１  水／ブライン熱交換器（ブライン加熱手段）
３２  床暖房パネル（放熱パネル）
３３  ブライン循環ポンプ
Ｋ３  ブライン循環回路
Ｒ  ヒートポンプサイクル
【図１】
2008014585.tif 000003
【図２】
2008014585.tif 000004
【図３】
2008014585.tif 000005
【図４】
2008014585.tif 000006